(57)【要約】【課題】  壁面材等の内部に残存し続けるホルムアルデヒド、アセトアルデヒド、トルエン、キレシンなどの揮発性有機化合物（ＶＯＣ）を建物施工前乃至施工後に、簡易に、そして、安価に低減し、除去する。【解決手段】  適宜面積の壁面材等を被覆することができる形状で、被覆した壁面材等を３０〜５０゜Ｃに昇温することのできる赤外線放射加熱手段を内装した吸引口部と、該吸引口部と被覆した壁面材等との間に一定間隔を保つ間隔保持手段とを備え、前記吸引口部の赤外線放射加熱手段による昇温により発散するＶＯＣを空気とともに吸引する吸引手段とを備える。【選択図】  図１
2007301507.tif 000002
【特許請求の範囲】
【請求項１】
壁面材等を局部的に赤外線により輻射加熱し、該壁面材等を空気の存在下で局部的に３０〜５０゜Ｃに昇温し、壁面材等に残存するＶＯＣを該壁面材等より離脱、発散させ、発散させたＶＯＣを空気とともに吸引することを特徴とするＶＯＣの低減、除去方法。
【請求項２】
吸引したＶＯＣを接触分解する請求項１に記載のＶＯＣの低減、除去方法。
【請求項３】
吸引したＶＯＣを吸着除去する請求項１に記載のＶＯＣの低減、除去方法。
【請求項４】
適宜面積の壁面材等を被覆することができる形状で、被覆した壁面材等を３０〜５０゜Ｃに昇温することのできる赤外線放射加熱手段を内装した吸引口部と、該吸引口部と被覆した壁面材等との間に一定間隔を保つ間隔保持手段と、前記吸引口部の赤外線放射加熱手段による昇温により発散するＶＯＣを空気とともに吸引する吸引手段とを備えたことを特徴とするＶＯＣの低減、除去装置。
【請求項５】
吸引手段にＶＯＣを光触媒により接触分解する手段を付加した請求項４に記載のＶＯＣの低減、除去装置。
【請求項６】
吸引手段にＶＯＣを吸着剤により吸着する手段を付加した請求項４に記載のＶＯＣの低減、除去装置。
【請求項７】
吸引手段に吸引したＶＯＣを空気とともに排出する排出手段を付加した請求項４ないし請求項６のいずれかに記載のＶＯＣの低減、除去装置。
【発明の詳細な説明】
【技術分野】
【０００１】
本発明は、住宅等の建物の室内空気汚染による健康障害、いわゆるシックハウス症候群、化学物質過敏症の原因物質の疑いが強いとされるホルムアルデヒド、アセトアルデヒド、トルエン、キレシンなどの揮発性有機化合物（以下、ＶＯＣと云う。）を低減、除去する方法と、それに用いる装置に関するものである。
【背景技術】
【０００２】
わが国では１９９０年代より住宅等の建物の室内空気汚染による健康障害、いわゆるシックハウス症候群、化学物質過敏症が問題視されるようになり、その原因物質の疑いが強いとされるホルムアルデヒド、アセトアルデヒド、トルエン、キレシンなどのＶＯＣの室内濃度指針値が１９９７〜２００２年に厚生省（当時）によって定められた。さらに、２００２年７月に建築基準法が改正されて居室を有する建築物は建材および換気設備について政令で定める技術的基準に適合したものでなければならないと義務化がされ、２００２年１１月には政令による技術的基準が告示され、クロルピリホス（防シロアリ剤）を発散するおそれがある建材の使用禁止、ホルムアルデヒドを発散する建材の面積制限や換気設備設置の義務化、下地材の規制などが行われた。
【０００３】
一方、原因物質と疑われているＶＯＣを発散する木質系ボード、化粧板、接着剤、塗料、断熱材、壁紙などの建材について、施工後の室内発散が少なくなるよう、それらの製造過程での使用量低減の努力が続けられており、施工後の換気強化による低減とあいまって室内での残存とその発散は少なくなってはいる。
【０００４】
また、原因物質と疑われているＶＯＣの皆無化、置き換えも努力されているが、施工強度、長期安定性、経済性などから難しく、含有量を少なくできても、施工後の建材内に残存して発散し続けるのは避けがたい。
【０００５】
特に、ホルムアルデヒドは、後記の非特許文献に記載のとおり、長期にわたって木質建材内部に滞留するだけでなく、発散挙動に温度依存性と時間依存性が高い。室内温度が１５゜Ｃ以下だとほとんど発散しないが、室内温度が２５゜Ｃ以上を１〜２時間継続すると発散量は１０倍以上になることがある。つまり、冬季にはほとんど発散しないが、夏期には発散量が激増する。また、ホルムアルデヒドは、室内濃度が高い場合には低減率が低いので、施工直後に０．５ｐｐｍの濃度が国の基準の０．０８ｐｐｍに至るには５年間かかるというデータもあり、対応が難しい。
【非特許文献１】シックハウスの防止と対策−シックハウス症候群とならないための２５ケ条−  井上雅雄著  ２００４年３月３０日日刊工業新聞社刊  ６８頁〜７１頁
【発明の開示】
【発明が解決しようとする課題】
【０００６】
本発明は、壁面材、床面材若しくは天井材（以下、壁面材等と云う。）の内部に残存し続けるＶＯＣをシックハウス症候群、化学物質過敏症のおそれがないように、施工前乃至施工後の接着がほぼ完了した時点で、簡易に、そして、安価に低減し、除去することができる方法と装置の提供を目的とするものである。
【課題を解決するための手段】
【０００７】
上記の目的を達成するための本発明の方法は、壁面材等を局部的に赤外線輻射により加熱し、該壁面材等を空気の存在下で局部的に３０〜５０゜Ｃに昇温し、壁面材等に残存するＶＯＣをその表面より離脱、発散させ、発散させたＶＯＣを吸引するようにしたものである。
【０００８】
そして、本発明の方法は、上記方法により吸引したＶＯＣを光触媒を用いるなどして接触分解し、ＶＯＣを低減して排出することができる。
【０００９】
或いは、本発明の方法は、吸引したＶＯＣを吸着剤などをフィルターとして用いるなどして吸着し、ＶＯＣを低減して排出することもできる。
【００１０】
さらに、吸引したＶＯＣを室内に排出して希釈して換気装置などにより排出したり、或いは、貯留し又は貯留しないで室外で排出して希釈することもできる。
【００１１】
また、本発明の装置は、適宜面積の壁面材等を被覆することができる形状で、被覆した壁面材等を３０〜５０゜Ｃに昇温することのできる赤外線放射加熱手段を内装した吸引口部と、該吸引口部と被覆した壁面材等との間に一定間隔を保つ間隔保持手段と、前記吸引口部の赤外線放射加熱手段による昇温により発散するＶＯＣを空気とともに吸引する吸引手段とを備えるようにしたものである。
【００１２】
本発明の装置には、吸引手段に光触媒分解装置のような空気とともに吸引されたＶＯＣを接触分解し、ＶＯＣを低減する手段を付加することができる。
【００１３】
また、本発明の装置には、吸引手段に活性炭などの吸着剤を備えたフィルターのようなＶＯＣを吸着し、ＶＯＣを低減する手段を付加することができる。
【００１４】
換気条件によっては、空気とともに吸引されたＶＯＣをそのまま排出する手段を吸引手段に付加することができるし、或いは、空気とともにＶＯＣを貯留する手段を吸引手段に付加することもできる。
【００１５】
本発明の方法及び装置は、赤外線を壁面材等に照射して発熱させるもので、壁面材等が自ら発生する熱を利用するもので熱媒体を必要としないし、室内の空気が低温であっても赤外線は伝わるので有利であるし、熱源は加熱試料に触れることがないのでクリーンである利点がある。しかも、赤外線の放射加熱手段の立ち上がり、立ち下がりが非常に早いのに加えて、被照射物の昇温速度がすこぶる早く、壁面材等を短い時間で所定の温度まで昇温させることができる。
【００１６】
本発明の方法及び装置において、壁面材等の昇温を３０゜Ｃ以上とするのは、壁面材等として用いられる構造用合板やパーティクルボードのＶＯＣの発散量、特に、ホルムアルデヒドの発散量が室内温度３０゜Ｃが持続すると急増するが、室内温度３０゜Ｃ以下ではＶＯＣの発散量、特に、ホルムアルデヒドの発散量が著しく少なくなることに着目し、壁面材等自体を３０゜Ｃ以上に昇温させることによりＶＯＣの発散を早めると共にＶＯＣの発散量を増大させるためである。壁面材等の昇温が３０゜Ｃ以下であるとＶＯＣの発散が緩慢であるし、ＶＯＣの発散量も少ないので、ＶＯＣの低減、除去に相当の時間を要するので実際的でない。また、壁面材等の昇温を５０゜Ｃ以下とするのは、５０゜Ｃ以上となると壁面材等或いはその塗料や接着剤への温度による悪影響、特に、変色や変質が予想されるので、これを防止するためである。壁面材等の昇温を５０゜Ｃ以上とすると、壁面材等或いはその塗料や接着剤の変色や変質だけでなく、温度によっては火災の危険も生じるので危険であり、実際的でない。
【００１７】
本発明は、新築建物、或いは改築建物の室内で実施されるのが通常であるが、建物の施工前に、建材の施工前処理の段階で実施することも考えられる。例えば、壁面材等を所定寸法に切断する作業の前に、壁面材等と赤外線放射加熱手段とを相対的に移動させてＶＯＣを発散させ、これを吸引することもできる。パーティクルボードの場合、切断面である端部から主にＶＯＣが発散すると考えられるので、新築或いは改築施工前処理の段階での実施が望ましい。
【００１８】
本発明の実施に際し、赤外線による昇温による壁面材等から発散するＶＯＣを吸引するにつき、そこに空気の流れがあることが望ましい。空気の流れにより、壁面材等からのＶＯＣの発散が早まり、かつ、空気の除熱効果により壁面材等の過昇温が防止できるからである。赤外線による昇温部位が移動することを考慮すれば、吸引口部と被覆した壁面材等との間に一定間隔を保つ間隔保持手段は、空気の流れを阻害しないものであり、かつ、壁面材若しくは床面材の次なる昇温部位への移動が容易なものが望ましい。例えば、壁面材等に傷を付けないような球状で弾力性のある自在車輪が考えられる。
【００１９】
また、本発明の実施に際しては、作業性を考慮すれば、前記吸引口部と前記吸引手段をズームパイプやホースなどで接続することは有効である。
【発明の効果】
【００２０】
以上に説明したところから明らかな通り、本発明によれば、新築建物、或いは改築建物に入居前に、壁面材等の内部に残存し続けるＶＯＣを発散させ、簡易に、そして、安価にＶＯＣを低減し、除去することができ低減、除去することができるのでシックハウス症候群、化学物質過敏症の予防に有効である。
【発明を実施するための最良の形態】
【００２１】
次に、 本発明の実施例を説明するが，本発明はその要旨を変更しない限り以下の実施例によって限定されるものではない。
【００２２】
図１乃至図３を参照して本発明の実施の一例を説明すると、図例装置は、図１に示す吸入口部１と、これに接続されたズームパイプ２、ズームパイプ２若しくはズームパイプ２に接続されたホース３に接続された図２ａ及び図２ｂに示す光触媒分解装置４、光触媒分解装置４に接続された図３に示す吸引装置５とから構成されている。
【００２３】
吸入口部１には、赤外線ヒーター若しくはランプ６が壁に接着された壁紙から成る壁面７に向き合うように内装されており、吸入口部１の口縁部には、壁面７と吸引口部１との間に一定間隔を保って空気の流入を確保すると共に、壁面７などを傷つけることなく吸引口部１を移動させることができるように、球状で弾力性のある自在車輪８が適数個取り付けられている。赤外線ヒーター若しくはランプ６としては、近赤外線ハロゲンヒーターが、立ち上がり立ち下がりがコンマ秒単位とすこぶる早いので望ましいが、遠赤外線ヒーターでも立ち上がりが数十秒立ち下がりが数秒と短いから採択可能である。
【００２４】
吸入口部１に接続されたズームパイプ２にはホース３が接続され、ホース３の末端は光触媒分解装置４に接続されている。光触媒分解装置４は、ブラックライト若しくは蛍光灯９を納め、ブラックライト若しくは蛍光灯９を中心として螺旋状に光触媒を固着した金網１０を巻き、内壁面を鏡状に加工して光触媒を塗布した構造である。
【００２５】
光触媒分解装置４には別にホース３が接続されており、このホース３の末端にはターボファンなどの吸引ファン１１と電動機１２を備えた吸引装置５が接続されている。
【００２６】
吸引装置５の吸引ファン１１と電動機１２の前方に、壁面７に付着した埃などを除去するためのフィルター１３を設けても差し支えはないし、このフィルター１３に活性炭などの吸着剤を保持させてＶＯＣを吸着して低減、除去するフィルター１３を兼ねさせることもできる。
【００２７】
そして、図示しないが、図例装置には、赤外線ヒーター若しくはランプ６による壁面７の昇温を３０〜５０゜Ｃに制限する手段、例えば、タイマー、が付加されている。壁面７の温度は、赤外線の照射量、赤外線の照射時間、赤外線源から壁面７の距離、壁面７上の空気の流れの速さ等により変化するので、これらの条件に応じてタイマーや壁面７の赤外線照射部位の移動その他の方法により、壁面７の昇温を３０〜５０゜Ｃに制限する。
【００２８】
また、図例装置においては、ズームパイプ２に設けた電源スイッチ１４は、吸入口部１内の赤外線ヒーター若しくはランプ６の起動、停止スイッチと、吸引ファン１１の起動、停止スイッチを兼ねているが、別途スイッチを設けてもよい。
【００２９】
尚、図例装置は、光触媒分解装置４と吸引装置５を別部材として構成しているが、光触媒分解装置４と吸引装置５を一体に形成しても支障はない。
【００３０】
続いて、図例装置を使用してのＶＯＣの低減、除去の作業を説明する。
【００３１】
まず、図例装置の吸入口部１を壁面７にあてがい、電源スイッチ１４を入れて、吸入口部１内の赤外線ヒーター若しくはランプ６を起動し、吸入口部１をあてがった壁面７の温度を３０〜５０゜Ｃの範囲内で昇温する。そのまま壁面７の温度をしばらく維持する。図例装置を用いないで室温を３０゜Ｃ以上に昇温させる場合には、室内の空気を熱媒体としているため、室内の昇温および壁面７の昇温もゆっくりしたものであり、従って、壁面７からのＶＯＣの発散もゆっくりと進むことになるが（室温３０゜Ｃの場合２時間程度）、これに対し、図例装置は赤外線ヒーター若しくはランプ６により直接壁面７を昇温するものであるから、空気の流れとあいまって壁面７からのＶＯＣの発散はすこぶる早く、その速さは壁面７の温度が高くなるほど加速される。
【００３２】
吸入口部１をあてがった壁面７の温度が３０〜５０゜Ｃの範囲となり、それが維持され、さらに壁面７が空気の流れにさらされるとホルムアルデヒドなどのＶＯＣは盛んに発散する。発散したホルムアルデヒドなどのＶＯＣは空気とともに吸引装置５の吸引ファン１１により吸入口部１から光触媒分解装置４を経て吸引装置５から排出されるが、光触媒分解装置４の光触媒によって低減、除去され、さらに、フィルター１３によって低減、除去されて排出される。
【００３３】
適宜時間経過後、吸入口部１を自在車輪８によってずらし、隣接の壁面７に吸入口部１をあてがって同様の操作を行う。
【００３４】
この操作を繰り返すことにより、壁面７の内部に残存し続けるＶＯＣを発散させ、簡易に、そして、安価にＶＯＣを低減し、除去することができるのである。
【図面の簡単な説明】
【００３５】
【図１】本発明を実施した装置の吸入口部とこれに接続されたズームパイプの使用状態における縦断説明図である。
【図２】図１の吸入口部に接続した光触媒分解装置を示し、ａは縦断説明図、ｂはａのＸ−Ｘ線位置の断面説明図である。
【図３】図２の光触媒分解装置に接続した吸引装置の縦断説明図である。
【符号の説明】
【００３６】
１・・・吸入口部
２・・・ズームパイプ
３・・・ホース
４・・・光触媒分解装置
５・・・吸引装置
６・・・赤外線ヒーター若しくはランプ
７・・・壁面
８・・・自在車輪
９・・・ブラックライト若しくは蛍光灯
１０・・・金網
１１・・・吸引ファン
１２・・・電動機
１３・・・フィルター
１４・・・電源スイッチ
【図１】
2007301507.tif 000003
【図２】
2007301507.tif 000004
【図３】
2007301507.tif 000005